(57)【特許請求の範囲】
【請求項１】
半導体基板上に二次元配置された画素と、前記二次元配置された画素に隣接して配置され前記画素の基準信号を発生する参照画素とを備えた熱型の赤外線撮像素子であって、
前記画素は、
温度を検出する検出部と、
前記検出部を前記半導体基板から離間して保持する支持脚と、
前記検出部上に結合部を介して接合され入射赤外線を吸収して熱に変換する赤外線吸収部とを備え、
前記参照画素は、
温度を検出する参照用検出部と、
前記参照用検出部を前記半導体基板から離間して保持する参照用支持脚と、
前記半導体基板の表面に堆積された層の一部であって前記参照用検出部の真上に空間を隔てて設けられ前記入射赤外線から前記参照用検出部を遮蔽する反射体と、
前記反射体上に前記参照用結合部を介して接合され前記入射赤外線を吸収して熱に変換する参照用赤外線吸収部とを備えたことを特徴とする赤外線撮像素子。
【請求項２】
参照用赤外線吸収部は、赤外線吸収部と同一形状であることを特徴とする請求項１に記載の赤外線撮像素子。
【請求項３】
参照画素は、参照用赤外線吸収部の上部に入射赤外線を遮光する遮光体を有したことを特徴とする請求項１または２に記載の赤外線撮像素子。
【請求項４】
参照用検出部は、該参照用検出部の熱容量を調整するための熱容量調整体を備えたことを特徴とする請求項１から請求項３のいずれか１項に記載の赤外線撮像素子。
【請求項５】
画素の配列の間隔と参照画素の配列の間隔とは、等しいことを特徴とする請求項１から請
求項４のいずれか１項に記載の赤外線撮像素子。
【発明の詳細な説明】
【技術分野】
【０００１】
本発明は、遠赤外域に感度を有する熱型の赤外線撮像素子に関するものである。
【背景技術】
【０００２】
従来の赤外線撮像素子は、素子温度がドリフトすると信号出力がダイナミックレンジを外れて撮像できなくなるため、温度調節機構で素子温度を一定に保つ必要があった。そこで、温度調節機構を省略すべく、断熱構造を有する画素の他に断熱構造を有さない参照画素を形成し、参照画素の信号を画素の駆動制御回路に帰還させて素子の温度調節を行なわなくても素子出力が一定のレンジに入るようにしていた（例えば、特許文献１参照。）。
また、パッケージ上に入射赤外線を遮る遮光板を設け、遮光された部分を参照画素としていたものもあった（例えば、特許文献２参照。）。
【特許文献１】特開２００５−２１４６３９号公報（第１２頁、図１）
【特許文献２】特開２０００−９７７６７号公報（第３頁、図６）
【発明の開示】
【発明が解決しようとする課題】
【０００３】
赤外線撮像素子においては入射赤外光による検出部の状態変化を検出するために画素へ電圧が印加されていた。例えば、特許文献１の赤外線撮像素子においては駆動線を通じて画素へ電圧が印加されていた。このため、赤外線撮像素子の画像信号の読出し動作によって、画素は自己発熱していた。また、この自己発熱は外部から入射した赤外線による温度上昇分よりも圧倒的に大きいものであった。
【０００４】
このような特許文献１にみられるような赤外線撮像素子にあっては、参照画素は断熱構造が無い画素構造になっていた。そのため、外部から赤外線が入射しないようにして撮像したときにおいても、画素と参照画素とから読み出される出力に差が生じ、参照画素の出力が画素信号の基準電圧にならなかった。
【０００５】
この理由はつぎのとおりである。例えば、参照画素に断熱構造が無い場合は、画素の検出部から撮像素子本体への熱の逃げ（熱コンダクタンス）が著しく大きくなり参照画素が冷えやすい構造だった。したがって、画素信号の読出し動作に伴う自己発熱のため、参照画素と画素との出力に差が生じてしまっていた。そのため、この出力差を見込んだ信号処理を考慮しなければならない不都合があった。
【０００６】
また、上述のように参照画素に断熱構造が無い構造とせずに、参照画素に外部からの入射赤外線を吸収しないような構造、例えば、赤外線吸収部を省略した構造も考えられる。しかし、このような構造では検出部に入射赤外線が当ってしまい信号出力を発生させるので基準電圧として使うには不都合であった。
【０００７】
さらに、特許文献２にみられるパッケージ上に遮光板を設けて参照画素部とする方法では、画素と参照画素とをまったく同じ構造とすることができる。しかしながら、遮光板による入射光の回折の影響があり、これを避けるために完全に遮光される参照画素部と画素部との間に距離を設け、光が当る部分と完全に遮光される部分を分ける必要があった。そのため撮像素子の小型化には不利であった。
【０００８】
本発明は、上記のような問題点を解決するためになされたものであり、基準電圧となる参照画素の出力が画素の出力に近くなる画素構造を有した赤外線撮像素子を提供することを目的とする。
【課題を解決するための手段】
【０００９】
本発明に係る赤外線撮像素子は、半導体基板上に二次元配置された画素と、二次元配置された画素に隣接して配置され画素の基準信号を発生する参照画素とを備えた熱型の赤外線撮像素子であって、画素は、温度を検出する検出部と、検出部を半導体基板から離間して保持する支持脚と、検出部上に結合部を介して接合され入射赤外線を吸収して熱に変換する赤外線吸収部とを備え、参照画素は、温度を検出する参照用検出部と、参照用検出部を半導体基板から離間して保持する参照用支持脚と、半導体基板の表面に堆積された層の一部であって参照用検出部の真上に空間を隔てて設けられ入射赤外線から参照用検出部を遮蔽する反射体と、反射体上に参照用結合部を介して接合され入射赤外線を吸収して熱に変換する参照用赤外線吸収部とを備えたことを特徴とする。
【発明の効果】
【００１０】
この発明によれば、画素信号の読出し動作に伴う自己発熱に起因して参照画素と画素との出力に著しい差が生じることはなく、参照画素の出力が理想的な画素信号の基準電圧になる。したがって、素子温度が大きく変化した場合でも簡便な信号処理回路で素子出力の安定化を図ることができる。
【発明を実施するための最良の形態】
【００１１】
実施の形態１．
図１は、本実施の形態１に係る赤外線撮像素子の概略構成を示す斜視図である。図２は、図１中のＩＩで示した部分を拡大した平面図であって、隣接する画素１０と参照画素１１をそれぞれ１画素ずつ抜出して拡大した平面図である。図３は、図２中に示すＩＩＩ-ＩＩＩ断面を矢印方向に見た断面図で、隣り合う画素１０および参照画素１１の断面図を示した模式図である。図４は、図３中に示すＩＶ-ＩＶ断面を矢印方向に見た平面図であって、図１中のＩＩで示した部分面を拡大した部分を平面視した模式図である。同じく、図５は、図３中に示すＶ-Ｖ断面を矢印方向に見た平面図であって、図１中のＩＩで示した部分面を拡大した部分を平面視した模式図である。
【００１２】
まず、赤外線撮像素子の全体構成について説明する。
図１において、赤外線撮像素子は、画素１０、参照画素１１、水平走査回路２、垂直走査回路３、出力アンプ４、等により構成さている。また、画素１０は、光学系（図示せず。）によって像が結像する基板上の領域（以下、撮像領域という）に２次元アレイ状に配列されている。さらに、配列配置された画素１０の外側の列であって、垂直走査回路３寄りの最外周に参照画素１１が配置されている。画素１０及び参照画素１１の出力信号は、それぞれ垂直選択線５及び信号線６を通じて水平走査回路２と垂直走査回路３とにより読み出され、出力アンプ４より素子外部へ出力される。
【００１３】
なお、ここでいう画素とは、赤外線撮像素子の画像信号を発生させるものであり、赤外線撮像素子上に配列された赤外線吸収部１３や検出部１６等の配列の最小の繰返し単位である。また、参照画素についても配列の最小の繰返し単位である。
【００１４】
また上述したように、参照画素１１は２次元アレイ状に配置された画素１０（すなわち、撮像領域）の外周を取り囲むように撮像領域の隣に配置されて画素群を構成している。なお、参照画素１１の画素群は撮像領域の外周を取り囲むように配置するのが最も効果的であるが、参照画素１１の画素群は撮像領域のいずれか一辺のみに配置しても後に説明する本願特有の効果を奏する。
【００１５】
さらに、赤外線撮像素子の構造について図３に従って説明する。
赤外線撮像素子は、ＳＯＩ（Ｓｉｌｉｃｏｎ  Ｏｎ  Ｉｎｓｕｌａｔｏｒ）基板の埋め込み酸化膜（図示せず。以下、ＢＯＸ酸化膜という）の上に作製されたＳＯＩダイオードを検出部１６とした構成である。ＳＯＩダイオードは熱を電気信号へ変換する機能を有する。また、ＢＯＸ酸化膜の下のＳｉ基板１２は、部分的にエッチングにより空洞部１８が形成されており、支持脚１７を介してＳｉ基板１２から検出部１６が離間されて支持されている。そのため、検出部１６からＳｉ基板１２への熱伝導を低減する構造となっている。したがって、画素１０では素子へ入射する赤外線によって断熱構造体上の検知部分の温度が上昇し、その温度上昇を熱電気変換素子で検出し、電気信号として出力することが可能となる。なお、この構造はマイクロマシニング技術を用いて作製される。例えば支持脚１７は窒化チタンからなる配線と酸化珪素からなる誘電体層を積層したものから構成されている。また、誘電体層は主に支持脚１７の剛性を向上するために用いられている。
【００１６】
図３に従い画素１０について更に説明する。上述したように、画素１０は赤外線吸収部１３と検出部１６と支持脚１７とを含む構成であって、赤外線吸収部１３は画素の結合部１４を介して検出部１６から離間されて結合されている。なお、赤外線吸収部１３は、例えばシート抵抗が概ね３５０オームである窒化チタンからなる薄膜金属層を酸化珪素からなる誘電膜で挟んだものである。また、赤外線吸収部１３と後述する赤外反射体２１からなる光学的共振構造により、入射されてきた赤外入射光を効率よく赤外線吸収部１３で吸収できる構造である。
【００１７】
同じく図３を参照して、参照画素１１について説明する。参照画素１１は、赤外線吸収部１３と検出部１６と支持脚１７とを含む構成であって、赤外線吸収部１３は参照画素の結合部１５を介して赤外反射体２１と離間されて結合されている。また、検出部１６は支持脚１７のみによって支持され、Ｓｉ基板から熱絶縁された構造であり、この点については画素１０と同様の支持構造である。しかし、画素の赤外線吸収部１３は検出部１６と熱的に結合されていたが、参照画素１１の場合は検出部１６とは結合されていない。
【００１８】
さらに、図２、図４、図５を参照しつつ画素１０と参照画素１１との差異を説明する。図２は、図１の赤外線撮像素子を平面視したものであって、画素１０と参照画素１１とが隣り合って配置されている部分の拡大図である。各画素の最表面には同じ赤外線吸収部１３があり、画素１０と参照画素１１とに差はない。なお、図２には垂直選択線５、信号線６が破線で示されているが、実際には最表面にこれらは無く、更に下層に存在するものを透視したものである。
【００１９】
つぎに、図２で示した赤外線吸収部１３の更に下層を示したものが図４である。赤外線吸収部１３の下層には入射赤外線を遮蔽する構造としての赤外反射体２１が一面にあり、部分的に更に下層へ通ずる穴（スリット２４、開口部２５）が開いている。画素１０の領域には、画素の結合部１４が通るに十分な開口部２５が開いている。また、参照画素１１の領域には、細い開口であるスリット２１が開いている。赤外反射体２１は、例えばクロムからなる赤外反射膜を酸化珪素からなる誘電膜中に設けた構成であり、概ね９割以上の赤外反射率を有するものである。赤外反射体２１は検知部１６とは接触しないように形成され、画素の周辺部でＳｉ酸化膜２６を介してＳｉ基板に固定されている。赤外反射体２１は多重反射構造の構成要素として入射光の吸収には寄与しているものの、検出部１６や赤外線吸収部１３には接続されていない。なお、上述したスリット２４及び開口部２５は、この穴を通じてＳｉ基板をエッチングし空洞部１８を形成するための開口である。
【００２０】
さらに、赤外反射体２１の下層を示した図５について説明する。検出部１６は支持脚１７のみによって支持され、Ｓｉ基板から熱絶縁された構造である。支持脚１７は蛇行した細長い断熱性の高い形状である。この支持構造は画素１０と参照画素１１とは同様の構造であるが、画素１０の検出部１６には画素の結合部が結合しているのに対し、参照画素１１の検出部１６には上層から接合するものは無い。なお、この層の上方には赤外反射体２１からなる層がある。
【００２１】
上述した画素の構成によれば、画素１０では入射されてきた赤外入射光は赤外線吸収部１３で吸収され熱に変換される。さらに、赤外線吸収部１３は画素の結合部１４を介して検出部１６結合されているため、この熱は検知部１６に伝達され検知部１６に設けているダイオードにより電気信号に変換される。
【００２２】
一方、参照画素１１では、赤外入射光が赤外線吸収部１３で吸収されて熱に変換されたとしても、赤外線吸収部１３は参照画素の結合部１５を介して赤外反射体２１と結合されているが検知部１６とは結合されていないので、検出部１６は赤外入射光による電気信号を発生しない。
【００２３】
上述した画素構成によれば、画素１０と参照画素１１とは同じ支持構造である。すなわち、共に検出部１６は支持脚１７のみによって支持され、Ｓｉ基板から熱絶縁された構造である。したがって、検出部から撮像素子本体への熱の逃げは、画素１０と参照画素１１とで著しく異なることは無い。そのため、画素信号の読出し動作に伴う自己発熱のため、参照画素と画素との出力に著しい差が生じることはなく、参照画素の出力が理想的な基準電圧になる。
【００２４】
さらに、画素１０と参照画素１１とは同じ赤外線吸収部１３を有するので、入射赤外線は赤外線吸収部１３とその下部の赤外反射体２１に阻まれ検出部１６に入射赤外線が当ることはないので、外来の入射赤外線による信号出力を発生させることもない。したがって、基準電圧に不要な信号出力が重なる不都合もない。
【００２５】
また、同じ構造の赤外線吸収部１３を有する画素１０と参照画素１１とが隣り合って配置されているので、撮像領域の中心付近に位置する画素１０と参照画素１１と隣接する画素１０とがほぼ同一形状になる。したがって、参照画素１１と隣接した画素１０の信号出力特性が中心側の画素列の画素１０の信号出力特性とずれることが無くなる。
【００２６】
この理由を以下補足説明する。一般的に、連続してアレイ状に配列されている最外周のパターンは、製造プロセスに起因して内側のパターンに比べて若干の寸法ずれが生ずるという問題がある。例えば、エッチング時に周辺部分でエッチングレートが高くなる場合等により若干小さくなったりする現象がある。そのため、画素１０と参照画素１１とが隣り合って配置されている場合に、仮に、参照画素１１には赤外線吸収部１３が無かったとすると、画素の最外周の画素列は受光面積が少なくなるので、信号出力特性が若干小さくなる。そこで、上述のように参照画素１１にも赤外線吸収部１３があることによって、配列パターンの不連続性を解消できるので、係る不都合を無くすことができる。
したがって、撮像領域の中心付近に位置する画素１０と参照画素１１と隣接する画素１０とがほぼ同一形状の赤外線吸収部１３を有することになるので、入射赤外光に対する開口率はほぼ等しくなる。そのため、撮像領域の全般に渡り信号出力特性を均一にできる。
【００２７】
以上説明したように、本実施の形態によれば、検出部１６からＳｉ基板１２への熱の逃げ、即ち画素の断熱特性は画素１０と参照画素１１とで同じ特性となる。また、画素１０と参照画素１１とは同じ赤外線吸収部１３を有することになるので、外来の入射赤外線により基準電圧が揺らぐこともない。したがって、素子温度が大きく変化した場合でも簡便な信号処理回路で素子出力の安定化を図ることができる。
また、素子の上方に別に設置した遮光体を形成していないため、素子の大型化や、素子作製のために煩雑な手法を用いる必要もない。
【００２８】
次に、赤外線撮像素子の製造方法を説明する。
まず、半導体素子の製造に常用される汎用の製造工程を経て水平走査回路２、垂直走査回路３、出力アンプ４、温度を検出する検出部１６等の信号処理回路、および、支持脚１７等を作製する。これらの工程までは画素１０と参照画素１１とでは作製パターンや工程など特に差異はない。上述の工程までの出来上がり状態は、基板を平面視して画素部分を拡大して見ると図５に示された状態になっている。
【００２９】
次の工程である二次元に配置された画素１０および参照画素１１の上部構造を作成する工程に関して説明する。
上述した信号処理回路等の上に有機材料からなる第１の犠牲層を形成する。支持脚１７の周囲に配置された垂直選択線５と信号線６の一方か両者の少なくとも一部分の上には第１の犠牲層を形成しないようにパターニングする。こうすることにより、犠牲層の無い部分には次に積層する赤外反射体２１が基板側と接合されることになり、後の工程で犠牲層が除去されても赤外反射体２１を基板側から支持することができる。犠牲層のパターニングはフォトレジストを第１の犠牲層として用いたときのリソグラフィによる形成でも可能であり、エッチング加工や全面形成したのちにポリッシング加工で信号線６上に形成されているＳｉ酸化膜２６を露出させる方法でも可能である。次に、第１の犠牲層を硬化させる。
【００３０】
次に、赤外反射体２１を形成する。赤外反射体２１の材料としては、例えば、金、白金、アルミニウム、チタン、クロムなど赤外光に対する反射率が高い材料と、酸化珪素からなる誘電膜中とを用いる。また、赤外反射体２１はＳｉ基板１２の表面にこれらの材料をそれぞれ堆積して積層した積層体である。例えば、赤外反射体２１（すなわち、積層体）にアルミニウムを用いるならば膜厚５０ｎｍの厚みが適当であり、堆積させる各層の厚みを調整して膜厚５０ｎｍの厚みにする。この積層工程で、画素１０には後に結合部１４を貫通させる穴となる開口部２５を形成する。また、参照画素１１には、エッチングして空洞１８を形成するためのスリット２４を開口するが、開口部２５は設けない。上述の工程までの出来上がり状態は、基板を平面視して画素部分を拡大して見ると図４に示された状態になっている。
【００３１】
更に、この上に第２の犠牲層を形成する。第２の犠牲層の材質としては例えば有機材料でよい。画素１０においては、赤外吸収体１３と検知部１６とを接続するための結合部１４を作製するための穴を開口する。参照画素１１においては、赤外吸収体１３と赤外反射体２１を接続するための結合部１５を作製するための開口を形成する。
開口の方法は、誘電体や金属膜を用いたハードマスクによるエッチング工程でも可能であるが、より簡便には、フォトレジストを第２の犠牲層として用い、リソグラフィによって形成してもよい。なお、リソグラフィによる形成方法では、第１の犠牲層の形成時にも画素１０のみに結合部１４に相当する箇所を開口しておく。
【００３２】
次に、この第２の犠牲層を硬化し、その後、赤外線吸収部１３を形成する。赤外線吸収部１３は、例えばシート抵抗が概ね３５０オームである窒化チタンからなる薄膜金属層を酸化珪素からなる誘電膜で積層したものである。また、赤外線吸収部１３が犠牲層に開口した穴の側面にも誘電膜等が付着するため、結合部１４、１５が同時に形成される。また、必要に応じて結合部１４，１５に誘電体膜等を埋め込んでもよい。次に、リソグラフィとパターニングによって赤外線吸収部１３を所望の形状に加工する。上述の工程までの出来上がり状態は、基板を平面視して画素部分を拡大して見ると図２に示された状態になっている。
【００３３】
最後に、第１の犠牲層、第２の犠牲層とＳｉ基板１２の一部を除去することで完成する。完成後の画素部分の断面は、図３に示された状態である。
【００３４】
上述した製造方法は、検出部１６、支持脚１７の上には第１の犠牲層を介して赤外反射体２１となる材料をそれぞれ堆積して積層し、空洞部１８が直下に形成されない垂直選択線５、信号線６の上には犠牲層を介さずに直接赤外反射体２１を形成するので、画素を遮光する構造を簡便に作ることができる。また、画素１０と参照画素１１の作り分けは、リソグラフィのマスクパターンの差だけで作り分けることができるので非常に簡便であり、高精度のパターンが実現できる。したがって、基準電圧となる参照画素の出力が画素の出力に近くなる画素構造を簡便に実現できる。
【００３５】
実施の形態２．
上述の実施の形態１では画素の断熱特性がほぼ等しい形態を説明したが、更に検出部１６の熱容量もほぼ等しくした形態を以下説明する。
【００３６】
画素１０および参照画素１１は、外来の入射赤外線に対する応答特性を除いて、共に同様の温度特性が要求される。すなわち、断熱特性及び熱容量は共に等しいことが望まれる。上述した実施の形態１では画素の断熱特性がほぼ等しい。しかし、参照画素の赤外線吸収部１３は検出部１６に接続されていないため、赤外線吸収部１３と検出部１６とを一体としてみた場合は、参照画素１１の熱容量は画素１０と比べて小さい。そこで、参照画素１１の検出部１６の構成を変更し、画素１０と参照画素１１と熱容量の均等化を図った形態を説明する。
【００３７】
図６は、本実施形態の画素部を拡大した断面図であり、隣り合う画素１０および参照画素１１の断面図を示した模式図である。また、検出部１６の構成が実施の形態１と異なる他は形態１と同様の構成である。そのため、以下に説明する本実施形態に特有の構成に起因する効果の他は実施の形態１と同様の効果を奏する。
【００３８】
図６を参照して、参照画素１１の検出部１６の上部に熱容量調整体であるＳｉ窒化膜３１を形成している。また、Ｓｉ窒化膜３１の厚みは赤外線吸収部１３の熱容量と等価となるように選定されている。なお、係る構成により酸化珪素からなる誘電体層を積層した微細な支持脚１７にダメージ少なくＳｉ窒化膜３１の形成が可能である。
【００３９】
上述した構成により、画素１０と参照画素１１の熱容量は、ほぼ等しくすることができる。そのため、画素１０と参照画素１１の熱特性は同一になるので、外部から赤外光が入射しない状態の画素１０の出力信号と参照画素１１の出力信号とに有意差がなくなる。したがって、参照画素部の出力信号を画素部の出力信号処理にそのまま帰還させて信号処理をすることも可能となる。特に、検知部１６への通電時間が画素の熱時定数より短い場合には画素の熱容量に起因する昇温の差が顕著となるが、本実施の形態の画素の構成によれば画素１０と参照画素１１の出力信号とに有意差がなくなるので、フレームレートの早い赤外線撮像素子においても温度調節を行なわなくても素子出力が一定のレンジに入るようにできる。
【００４０】
実施の形態３．
上述の実施の形態１では画素１０と参照画素１１の断熱特性と吸熱特性の両方が同一となる例を示したが、参照画素１１については吸熱性が無くてもよい。しかし、参照画素１１にも検知部１６があるので、入射赤外線を遮蔽するなんらかの構造を検知部１６の上部に設ける必要がある。本実施の形態では係る構造について以下説明する。
【００４１】
図７は、本実施形態の画素部を拡大した断面図であり、隣り合う画素１０および参照画素１１の断面図を示した模式図である。なお、赤外線吸収部１３の構成が実施の形態１と異なる他は形態１と同様の構成である。そのため、以下に説明する本実施形態に特有の構成に起因する効果の他は実施の形態１と同様の効果を奏する。
【００４２】
図７を参照して、参照画素１１の赤外線吸収部１３の上部に赤外遮光体２２を形成すれば赤外光を遮光することがより完全にできる。上述の実施の形態１で説明したように、赤外反射体２１にはスリット２４があり、この穴を通じて入射赤外光が検出部１６に到達する可能性がある。そこで、赤外線吸収部１３の上部に赤外遮光体２２を形成し、漏れこむ光を少なくしたものである。遮光体としては例えばアルミニウムからなる膜が使用可能である。
【００４３】
また、図８に示す構成により上記と同様に参照画素１１を遮光することができる。図８を参照して、参照画素１１には赤外線吸収部１３が無いが、赤外反射体２１の上部に赤外遮光体２２を配置している。
【００４４】
上述した本実施の形態では、赤外遮光体２２を用いることにより確実に参照画素１１を遮光することができ、素子温度が大きく変化した場合でも簡便な信号処理回路で素子出力の安定化を図ることができる。
【００４５】
なお、図８に示した例では、赤外遮光体２２を用いて入射赤外光を遮断したが、赤外反射体２１が１００％近い反射率を有する場合は赤外遮光体２２を省略した構造も可能である。
【図面の簡単な説明】
【００４６】
【図１】本発明の実施の形態１の熱型赤外検出素子の構成を示した斜視図である。
【図２】本発明の実施の形態１の熱型赤外検出素子の画素部の平面図である。
【図３】本発明の実施の形態１の熱型赤外検出素子の画素部の断面図である。
【図４】本発明の実施の形態１の熱型赤外検出素子の画素部の平面図である。
【図５】本発明の実施の形態１の熱型赤外検出素子の画素部の平面図である。
【図６】本発明の実施の形態２の熱型赤外検出素子の画素部の断面図である。
【図７】本発明の実施の形態３の熱型赤外検出素子の画素部の断面図である。
【図８】本発明の実施の形態３の熱型赤外検出素子の画素部の断面図である。
【符号の説明】
【００４７】
１  赤外線撮像素子、２  水平走査回路、３  垂直走査回路、４  出力アンプ、５  垂直選択線、６  信号線、１０  画素、１１  参照画素、１２  Ｓｉ基板、１３  赤外線吸収部１４  画素の結合部、１５  参照画素の結合部、１６  検出部、１７  支持脚、１８  空洞部、２０  エッチング孔、２１  赤外反射体、２２  赤外遮光体、２３  赤外吸収体、２４  スリット、２５  開口部、２６  Ｓｉ酸化膜、３１  Ｓｉ窒化膜
【図１】
0005353138.tif 000002
【図２】
0005353138.tif 000003
【図３】
0005353138.tif 000004
【図４】
0005353138.tif 000005
【図５】
0005353138.tif 000006
【図６】
0005353138.tif 000007
【図７】
0005353138.tif 000008
【図８】
0005353138.tif 000009